(57)【要約】【課題】ユーザＰＣの状態を当該ユーザに通知する際に、この通知内容の一部に広告情報を付加することにより印刷物には変更を一切加えることなく、且つ定型の書類や重要なレポートなどにも利用が可能な情報処理システムを提供する。【解決手段】この情報処理システムは、ネットワーク４を介してユーザＰＣ５との情報の授受を制御するホストコンピュータ１と、このホストコンピュータ１に接続され複数の広告情報を蓄積する広告情報データベース２と、広告情報を提供する広告主ＰＣ３と、ホストコンピュータ１と情報の授受を行うユーザＰＣ５とを備えて構成される。またユーザＰＣ５は操作上の内容や状態が変化した時にホストコンピュータ１から送信された内容等を表示するディスプレイ６と、印刷情報を印刷するプリンタ７が接続されている。【選択図】      図１
2005038123.tif 000002
【特許請求の範囲】
【請求項１】
ユーザが使用するユーザＰＣの状態を当該ユーザに通知する手段を有する情報処理システムであって、
前記情報処理システムは、複数の広告情報を蓄積する広告情報データベースと、ネットワークを介して前記ユーザＰＣとの情報の授受を制御するホストコンピュータと、前記広告情報を提供する広告主ＰＣとを備え、前記ホストコンピュータは前記ユーザＰＣの状態を監視中に該ユーザＰＣの状態が変化した場合、前記広告情報データベースから所定の広告情報を選択し、前記ユーザＰＣの状態変化の内容と共に前記広告情報を前記ネットワークを介して前記ユーザＰＣに送信することを特徴とする情報処理システム。
【請求項２】
前記ホストコンピュータは、前記ユーザＰＣの状態を監視中に該ユーザＰＣの状態が変化した場合、該ユーザＰＣの状態変化の内容に応じた広告情報を前記広告情報データベースから選択し、前記ネットワークを介して前記ユーザＰＣに送信することを特徴とする請求項１に記載の情報処理システム。
【請求項３】
前記広告主ＰＣは前記ネットワークを介して前記広告情報データベースの内容を変更可能としたことを特徴とする請求項１に記載の情報処理システム。
【請求項４】
前記ホストコンピュータは、前記ユーザＰＣの状態変化の内容に個別のＩＤを付加することにより、前記広告情報データベースの広告情報を参照した回数を計数して記録することを特徴とする請求項１に記載の情報処理システム。
【請求項５】
前記ユーザＰＣの状態変化の内容が前記ユーザＰＣの表示画面上にポップアップ、電子メール、及びメッセンジャーによる電子的な方法で表示される場合、前記表示画面上の所定のボタンをクリックすることにより、前記広告情報の詳細な内容を取得可能としたことを特徴とする請求項１に記載の情報処理システム。
【発明の詳細な説明】
【０００１】
【発明の属する技術分野】
本発明は、情報処理システムに関し、さらに詳しくは、ネットワークを介して接続されたホストコンピュータとユーザＰＣ間で、ユーザＰＣの状態変化情報に広告情報を付加する技術に関するものである。
【０００２】
【従来の技術】
従来技術として特開２００２−１３２９１７公報には、広告付き印刷によりデイスカウントサービスを行う印刷サービス方法に関し、多様なデイスカウントサービスを実現する技術について開示されている。これによると、ユーザの印刷装置で各ユーザが広告付きで印刷する時に、印刷管理情報をユーザＩＤとともに、ネットワークを経由して、サーバに転送し、各ユーザＩＤごとの広告利用実績として蓄積する印刷ステップと、ユーザによる広告利用実績を利用した印刷装置に関する複数のサービスの少なくとも１つを選択したサービスに対し、ユーザの広告利用実績を参照し、選択されたサービスのデイスカウントサービスを承認するかを判定し、前記ユーザの広告利用実績を更新するステップと、前記承認されたデイスカウントサービスを実行するステップとを有する技術について開示されている。
【特許文献１】特開２００２−１３２９１７公報
【０００３】
【発明が解決しようとする課題】
特許文献１に開示されている従来技術は、情報機器の使用料を削減するために、印刷物の一部に広告を掲載して広告主からその広告費を徴収することにより情報機器の使用料に補填する方法である。しかしながらこの方法では、本来の目的である印刷物の内容が変更されてしまうといった問題がある。また、インターネットで詳細をしらべるためのシームレスな手段がなく、ユーザがどの広告に関心があったかの追跡ができない等の問題があった。
本発明は、かかる課題に鑑み、ユーザＰＣの状態を当該ユーザに通知する際に、この通知内容の一部に広告情報を付加することにより印刷物には変更を一切加えることなく、且つ定型の書類や重要なレポートなどにも利用が可能な情報処理システムを提供することを目的とする。
【０００４】
【課題を解決するための手段】
本発明はかかる課題を解決するために、請求項１は、ユーザが使用するユーザＰＣの状態を当該ユーザに通知する手段を有する情報処理システムであって、前記情報処理システムは、複数の広告情報を蓄積する広告情報データベースと、ネットワークを介して前記ユーザＰＣとの情報の授受を制御するホストコンピュータと、前記広告情報を提供する広告主ＰＣとを備え、前記ホストコンピュータは前記ユーザＰＣの状態を監視中に該ユーザＰＣの状態が変化した場合、前記広告情報データベースから所定の広告情報を選択し、前記ユーザＰＣの状態変化の内容と共に前記広告情報を前記ネットワークを介して前記ユーザＰＣに送信することを特徴とする。
本発明のシステムは、広告主からの各種広告情報を蓄積する広告情報データベースと、システム全体を制御するホストコンピュータと、ネットワークに接続された広告主ＰＣとユーザＰＣにより構成される。広告主はホストコンピュータに対して広告してほしい広告情報を広告情報データベースに蓄積する。この場合は当然有料により行われる。ホストコンピュータはその広告をユーザＰＣの状態が変化したとき、例えば、印刷が終了した時点、或いはプリンタの用紙が無くなった場合等に、ユーザＰＣにその状態変化情報を送信するときに、広告情報を付加して送るようにするものである。これにより、ユーザは状態変化情報を見るときに同時に広告情報も見ることになる。
かかる発明によれば、ユーザＰＣに状態変化情報を送信するときに、広告情報を付加して送るので、ユーザは状態変化情報を見るときに同時に広告情報も見ることになり、広告の宣伝効果を高めることができる。
請求項２は、前記ホストコンピュータは、前記ユーザＰＣの状態を監視中に該ユーザＰＣの状態が変化した場合、該ユーザＰＣの状態変化の内容に応じた広告情報を前記広告情報データベースから選択し、前記ネットワークを介して前記ユーザＰＣに送信することを特徴とする。
ユーザＰＣの状態変化の内容には各種ある。例えば、印刷終了、紙詰まり、用紙切れ等である。このとき広告情報を付加して送信するが、付加する広告情報が状態変化の内容と関連する情報であれば更に宣伝効果が高まる。例えば、用紙切れや紙詰まりのときは用紙に関連する広告が好ましい。
かかる発明によれば、状態変化情報に付加する広告情報が状態変化情報と関連する情報であるので、更に宣伝効果を高めることができる。
【０００５】
請求項３は、前記広告主ＰＣは前記ネットワークを介して前記広告情報データベースの内容を変更可能としたことを特徴とする。
広告の内容は時間が経過すると変化するものである。また、新製品が発売されれば当然それを追加する必要がある。そのとき、広告主がネットワークを介して広告情報データベースの内容を変更できなければ、迅速に新情報を提供することができなくなる。そこで本発明では、広告主がネットワークを介して広告情報データベースの内容を適宜変更できるようにシステムを構築した。
かかる発明によれば、広告主がネットワークを介して広告情報データベースの内容を適宜変更できるので、広告内容の変化に迅速に対応することができる。
請求項４は、前記ホストコンピュータは、前記ユーザＰＣの状態変化の内容に個別のＩＤを付加することにより、前記広告情報データベースの広告情報を参照した回数を計数して記録することを特徴とする。
ユーザＰＣの状態変化が発生すると何らかの広告情報がユーザに送信される。そして広告情報がユーザに何回送信されたかの情報は広告主にとっては重要なデータである。そこで本発明では、ユーザＰＣの状態変化の内容に個別のＩＤを付加して各ユーザ毎にどの広告情報が送信されたかを計数して記録する。
かかる発明によれば、ユーザＰＣの状態変化の内容に個別のＩＤを付加して各ユーザ毎にどの広告情報が送信されたかを計数するので、広告主は広告の統計的なデータを取得することができ、宣伝効果の把握を正確に行なうことができる。
請求項５は、前記ユーザＰＣの状態変化の内容が前記ユーザＰＣの表示画面上にポップアップ、電子メール、及びメッセンジャーによる電子的な方法で表示される場合、前記表示画面上の所定のボタンをクリックすることにより、前記広告情報の詳細な内容を取得可能としたことを特徴とする。
最初表示する広告情報は概要のみである。ユーザがそれを見て更に詳細な内容を取得したい場合は、画面上の所定のボタンをクリックすると、詳細な広告の内容が表示される。このように２段階にすることにより、必要なユーザのみに詳細情報を送信するので、無駄なアクセスを減らすことができる。
かかる発明によれば、画面上の所定のボタンをクリックすると、詳細な広告の内容が表示されるので、必要なユーザのみに詳細情報を送信して無駄なアクセスを減らすことができる。
【０００６】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る情報処理システムの構成を示す図である。この情報処理システムは、ネットワーク４を介してユーザＰＣ５との情報の授受を制御するホストコンピュータ１と、このホストコンピュータ１に接続され複数の広告情報を蓄積する広告情報データベース２と、広告情報を提供する広告主ＰＣ３と、ホストコンピュータ１と情報の授受を行うユーザＰＣ５とを備えて構成される。またユーザＰＣ５は操作上の内容や状態が変化した時にホストコンピュータ１から送信された内容等を表示するディスプレイ６と、印刷情報を印刷するプリンタ７が接続されている。尚、本実施形態ではネットワーク４上に広告主ＰＣ３とユーザＰＣ５が１台ずつ接続されているが、これ以上の数が接続されても構わない。
次に本発明の一実施形態に係る情報処理システムの概略動作について説明する。ホストコンピュータ１はネットワーク４を介してユーザＰＣ５の状態を監視中にこのユーザＰＣ５の状態が変化した場合、例えば、印刷中にプリンタ７の用紙が無くなった場合や、用紙がジャムした場合、或いは印刷が正常に完了した場合等が発生すると、広告情報データベース２から所定の広告情報を選択し、ユーザＰＣ５の状態変化の内容と共に広告情報データベース２から選択した広告情報をネットワーク４を介してユーザＰＣ５に送信する。これにより、ユーザＰＣ５のディスプレイ６に状態変化の内容と共に広告情報が表示される。
【０００７】
図２は印刷が完了した場合、その完了をポップアップして通知するアプリケーションをもつシステムの場合の表示画面例を表す図である。この場合の表示画面１０は、そのタイトルバー１７にはタイトル名「印刷通知：ＲＩＣＯＨ  ｉｍａｇｉｏ  Ｎｅｏ２７０ＲＰＣＳ」が表示され、状態変化の内容として１段目に「印刷完了」１１、２段目１２にプリンタ：ＲＩＣＯＨ  ｉｍａｇｉｏ  Ｎｅｏ２７０ＲＰＣＳ、ドキュメント：テストページ」が表示され、３段目１３に「モデル名：ｉｍａｇｉｏ  Ｎｅｏ２７０、名前：ＲＮＰ６２１９Ｅ４、コメント：、アドレス：１３３．１３９．１７１．１５７、状態：省エネモード待機中」が表示され、４段目１４に広告情報として「３２４万画素・３倍ズームの防水デジカメ「Ｃａｐｌｉｏ  ３００Ｇ」リコーから登場」が表示される。そしてユーザがこの内容を確認してこれ以上の情報が必要なければ、「ＯＫ」ボタン１６を押すことにより終了する。また、４段目１４の広告情報の更に詳細情報を取得したい場合は、「機器情報（Ｔ）」ボタン１５を押すことにより、更に詳細な広告情報を得ることができる。
【０００８】
図３は印刷中にエラーが発生した場合、そのエラー内容をポップアップして通知するアプリケーションをもつシステムの場合の表示画面例を表す図である。この場合の表示画面２０は、そのタイトルバー２６にはタイトル名「プリンタエラー」が表示され、状態変化の内容として１段目に「エラー発生中」２１、２段目２２に「プリンタ：ＲＩＣＯＨ  ｉｍａｇｉｏ  Ｎｅｏ２７０ＲＰＣＳ、ドキュメント：無題・メモ帳」が表示され、３段目２３に「モデル名：ｉｍａｇｉｏ  Ｎｅｏ２７０、名前：ＲＮＰ６２１９Ｅ４、コメント：、アドレス：１３３．１３９．１７１．１５７、状態：用紙なし」が表示され、４段目２４に広告情報として「ＡＳＰグループウェアも好評の「ＮｅｔＲＩＣＯＨ」スケジュール管理用ＡＳＰからＯＡサイトまで」が表示される。そしてユーザがこの内容を確認して４段目２４の広告情報の更に詳細情報を取得したい場合は、「機器情報（Ｔ）」ボタン２５を押すことにより、更に詳細な広告情報を得ることができる。
このように、ユーザＰＣ５の状態変化の内容には各種ある。例えば、印刷終了、紙詰まり、用紙切れ等である。このとき広告情報を付加して送信するが、付加する広告情報が状態変化の内容と関連する情報であれば更に宣伝効果が高まる。例えば、図３のように用紙切れの場合は、用紙に関連する広告が表示されると更に宣伝効果を高めることができる。また、最初表示する広告情報は概要のみである。ユーザがそれを見て更に詳細な内容を取得したい場合は、画面上の「機器情報（Ｔ）」ボタン２５をクリックすると、詳細な広告の内容が表示される。このように２段階にすることにより、必要なユーザのみに詳細情報を送信するので、無駄なアクセスを減らすことができる。
【０００９】
図４は印刷が完了した場合、その完了をメールに通知するアプリケーションをもつシステムの場合の表示画面例を表す図である。その画面３０には、状態変化の内容として「Ｆｒｏｍ：ｐｒｉｎｔｅｒ＠ｐｒｉｎｔｅｒ．ｃｏｍ、Ｔｏ：ｕｓｅｒ＠ｕｓｒ．ｃｏｍ、印刷が終わりました。」が表示され、広告情報として、「広告：３２４万画素・３倍ズームの防水デジカメ「Ｃａｐｌｉｏ  ３００Ｇ」リコーから登場」が表示される。
以上の通りユーザＰＣ５の状態変化が発生すると何らかの広告情報がユーザに送信される。そして広告情報がユーザに何回送信されたかの情報は広告主ＰＣ３にとっては重要なデータである。そこで本発明では、ユーザＰＣ５の状態変化の内容に個別のＩＤを付加して各ユーザ毎にどの広告情報が送信されたかを計数して記録するようにすれば、広告主ＰＣ３は広告の統計的なデータを取得することができ、宣伝効果の把握を正確に行なうことができる。
【００１０】
【発明の効果】
以上記載のごとく請求項１の発明によれば、ユーザＰＣに状態変化情報を送信するときに、広告情報を付加して送るので、ユーザは状態変化情報を見るときに同時に広告情報も見ることになり、広告の宣伝効果を高めることができる。
また請求項２では、状態変化情報に付加する広告情報が状態変化情報と関連する情報であるので、更に宣伝効果を高めることができる。
また請求項３では、広告主がネットワークを介して広告情報データベースの内容を適宜変更できるので、広告内容の変化に迅速に対応することができる。
また請求項４では、ユーザＰＣの状態変化の内容に個別のＩＤを付加して各ユーザ毎にどの広告情報が送信されたかを計数するので、広告主は広告の統計的なデータを取得することができ、宣伝効果の把握を正確に行なうことができる。
また請求項５では、画面上の所定のボタンをクリックすると、詳細な広告の内容が表示されるので、必要なユーザのみに詳細情報を送信して無駄なアクセスを減らすことができる。
【図面の簡単な説明】
【図１】本発明の一実施形態に係る情報処理システムの構成を示す図である。
【図２】本発明の情報処理システムが印刷を完了した場合、その完了をポップアップして通知するアプリケーションをもつシステムの場合の表示画面例を表す図である。
【図３】本発明の情報処理システムが印刷中にエラーが発生した場合、そのエラー内容をポップアップして通知するアプリケーションをもつシステムの場合の表示画面例を表す図である。
【図４】本発明の情報処理システムが印刷を完了した場合、その完了をメールに通知するアプリケーションをもつシステムの場合の表示画面例を表す図である。
【符号の説明】
１  ホストコンピュータ、２  広告情報データベース、３  広告主ＰＣ、４  ネットワーク、５  ユーザＰＣ、６  ディスプレイ、７  プリンタ
【図１】
2005038123.tif 000003
【図２】
2005038123.tif 000004
【図３】
2005038123.tif 000005
【図４】
2005038123.tif 000006